(57)【要約】【課題】迅速に水をくむことができると共に、釣用バッグその他の釣道具に着脱可能な釣用バケツの提供。【解決手段】この釣用バケツ１０は、本体１１と、固定フック１２と、反転錘１４とを備えている。固定フック１２は、本体１１の開口周縁部２３の外側に取り付けられている。反転錘１４は、固定フック１２に取り付けられている。固定フック１２はＵ字状に形成されている。固定フック１２は、弾性変形し、バッカン等を挟持する。反転錘１４は、フラップ状に回動することができる。【選択図】図１
2007312644.tif 000002
【特許請求の範囲】
【請求項１】
上面が開口された有底筒状の本体と、
当該本体の開口周縁部の外側に設けられ、所定のステーを弾性的に挟持し得る固定フックと、
当該固定フックに取り付けられた錘とを有する釣用バケツ。
【請求項２】
上記固定フックの断面形状はＵ字状に形成されており、当該固定フックの開放端が下向きに配置されている釣用バケツ。
【請求項３】
上記錘は、フラップ状に回動し得るように上記固定フックの上縁に沿って取り付けられている請求項１又は２に記載の釣用バケツ。
【請求項４】
上記固定フックは、上記錘を兼ねている請求項１又は２に記載の釣用バケツ。
【発明の詳細な説明】
【技術分野】
【０００１】
本発明は、特に魚釣りの際に使用される水汲用のバケツの構造に関するものである。
【背景技術】
【０００２】
魚釣りにおいては、釣人は、釣餌の調合、釣れた魚の保管し、釣道具の洗浄その他のさまざまな作業を行う必要がある。これらの作業を行うために、従来から釣用のバケツが使用されている（例えば、特許文献１〜４参照）。従来のバケツは、釣人が磯からあるいは防波堤から容易に水を汲むことができるように種々の改良が施されている。
【０００３】
一般に釣用のバケツは、有底筒状に形成された合成樹脂製の本体を備え、この本体にロープが取り付けられている。従来のバケツでは、この本体の側面上部に錘が設けられているものがある（例えば、非特許文献１参照）。このように本体に錘が取り付けられることによって、水面に投入されたバケツは直ちに反転するので、釣人は、迅速に水を汲めるようになっている。
【０００４】
【特許文献１】特開２００２−５８４１０号公報
【特許文献２】特開２００１−２４５５７１号公報
【特許文献３】特開平１１−１８７９８１号公報
【特許文献４】特開平１１−１５２１４３号公報
【非特許文献１】株式会社シマノ  2005 Fishing Tackle Catalogue（第２１２頁）
【発明の開示】
【発明が解決しようとする課題】
【０００５】
ところで、例えば磯釣り等では、釣人は、釣餌の調合や撒餌杓の洗浄等の作業を適宜効率良く行う必要があり、そのため、従来のバケツがより効果的に活用されるべきである。
【０００６】
そこで、本発明の目的は、迅速に水をくむことができることに加え、釣用バッグその他の釣道具に着脱されることにより、釣餌の調合や釣道具の洗浄等のさまざまな作業を適宜効率良く行うことができる釣用バケツを提供することである。
【課題を解決するための手段】
【０００７】
(1) 上記目的が達成されるため、本発明に係る釣用バケツは、上面が開口された有底筒状の本体と、当該本体の開口周縁部の外側に設けられ、所定のステーを弾性的に挟持し得る固定フックと、当該固定フックに取り付けられた錘とを有する。
【０００８】
釣用バケツの本体に設けられた固定フックは、餌入れ用のバッカン、タックルケース、クーラーボックスその他のステーを挟持することができる。このため、釣用バケツは、実釣においてバッカン等に組み付けられる。しかも、この固定フックは、上記ステーを弾性的に挟持するものであるから、釣人は、釣用バケツを容易に着脱することができる。また、この固定フックは、釣用バケツの本体の開口周縁部の外側に設けられ、さらに、この固定フックに錘が設けられているから、釣用バケツが水中に投入されると、錘が沈下して釣用バケツが水中で転倒する。
【０００９】
(2) 上記固定フックの断面形状はＵ字状に形成されているのが好ましい。この場合、当該固定フックの開放端は、下向きに配置される。
【００１０】
固定フックの断面形状がＵ字状に形成されることにより、上記ステーを弾性的に挟持するための固定フックの構造がきわめて簡単になる。これにより、釣用バケツの製造コストの上昇が抑えられる。
【００１１】
(3) 上記錘は、フラップ状に回動し得るように上記固定フックの上縁に沿って取り付けられているのが好ましい。
【００１２】
釣用バケツが水中に投入されると、前述のように錘が先行して沈下するために、釣用バケツが水中で傾く。このとき、錘が先行して沈下するから、当該錘が釣用バケツの本体に対してフラップ状に開く。このため、釣用バケツは、水中でさらに転倒方向に回動することになるので、釣人は、一層迅速に水を汲むことが可能になる。
【００１３】
(4) 上記固定フックは、上記錘を兼ねているのが好ましい。
【００１４】
この構成では、釣用バケツの部品点数が削減されるので、釣用バケツの構造がさらに簡素化され、製造コストも抑えられる。
【発明の効果】
【００１５】
本発明によれば、釣用バケツが水中に投入されると、錘が沈下して釣用バケツが水中で転倒するので、釣人は、容易に水を汲むことができる。また、釣用バケツが餌入れ用のバッカンやタックルケース等に簡単に着脱されるので、釣人は、釣餌の調合や撒餌杓の洗浄等の作業を適宜効率良く行うことができる。例えば、釣用バケツに水を収容した状態で当該釣用バケツが餌入れ用のバッカンに装着された場合には、釣人は、実釣において所望時に撒餌杓を洗浄することができるし、撒餌の水分が不足した場合には、適当な量の水をバッカンに注ぐことができる。さらに、バッカン内の餌の残量が少なくなると、バッカンが不安定となるが、水を収容した釣用バケツがバッカンに装着されることにより、バッカン内の餌の残量が少なくなっても、当該バッカンは安定的に配置されるという利点もある。
【発明を実施するための最良の形態】
【００１６】
以下、適宜図面が参照されつつ、好ましい実施形態に基づいて本発明が詳細に説明される。
【００１７】
図１は、本発明の一実施形態に係る釣用バケツの斜視図である。
【００１８】
この釣用バケツ１０は、魚釣りの際に使用されるものであって、磯や防波堤などの釣場から容易に水を汲むことができる。この釣用バケツ１０は、本体１１と、本体１１に設けられた固定フック１２及びロープ１３と、反転錘１４（錘）とを備えている。
【００１９】
図１が示すように、本体１１は、上面に開口１９を有する円筒容器状に形成されており、底部１５と、底部１５に立設された胴部１６とを備えている。もっとも、本体１１は、円筒容器に限定されるものではなく、楕円形の筒状に形成されていてもよいし、角形容器状に形成されていてもよいことは勿論である。底部１５は、円形の樹脂シートからなる。底部１５を構成する樹脂は、例えば、エチレン酢酸ビニル共重合体（ＥＶＡ）が好適に採用される。底部１５の肉厚寸法は、０．７５ｍｍ〜２．０ｍｍ程度に設定される。また、胴部１６は、樹脂シートが円筒状に形成されることにより構成されている。胴部１６を構成する樹脂も、例えば、エチレン酢酸ビニル共重合体（ＥＶＡ）が好適に採用される。胴部１６の肉厚寸法は、０．７５ｍｍ〜２．０ｍｍ程度に設定される。
【００２０】
図２は、本発明の一実施形態に係る釣用バケツの一部拡大断面図であり、図１において仮想平面Ｐで切断された釣用バケツ１０の断面図が示されている。また、図３は、本発明の一実施形態に係る釣用バケツの一部拡大断面図であり、図１において仮想平面Qで切断された釣用バケツ１０の断面図が示されている。
【００２１】
図２が示すように、上記底部１５と胴部１６とは熱融着されている。具体的には、胴部１６の下端周縁部１７が外側に弾性的に拡げられ、この下端周縁部１７が底部１５の周縁部１８の全体にわたって当接され、両者が熱融着されている。また、図３が示すように、胴部１６の上縁部２０が上記開口１９を区画形成している。この上縁部２０は、当該胴部１６を構成する樹脂シートが内側から外側に巻き返されることにより構成されている。本実施形態では、胴部１６の上縁部２０の内部にコア部材２１が設けられている。このコア部材２１は、例えば、円形に形成されたステンレス製の線材からなる。このコア部材２１が設けられることにより、胴部１６の上縁部２０の剛性が向上し、釣人は水を汲みやすくなる。もっとも、このコア部材２１は、樹脂から構成されていてもよく、また、省略されていてもよい。このコア部材２１に巻き掛けられ、胴部１６の外側に配置された樹脂シートは、胴部１６の内側に配置された当該樹脂シートに固着される。両者を固着する手段としては、熱融着や接着剤が採用され得る。
【００２２】
図１が示すように、本体１１に係止片２２が設けられている。この係止片２２は、薄肉板状の樹脂又はゴムからなる。本実施形態では、２つの係止片２２が本体１１に設けられており、各係止片２２は、本体１１の径方向に対向するように配置されている。各係止片２２は、本体１１の開口１９の周縁部２３に固定されており、上方へ延びている。各係止片２２は、熱融着により又は接着剤により固定される。各係止片２２に貫通孔２４が設けられており、この貫通孔２４に上記ロープ１３が挿通され固定されている。なお、この係止片２２は、ロープ１３を固定する部材であるから、当該ロープ１３が係止固定され得るものであれば、係止片２２に代えて適宜他の部材が採用され得る。
【００２３】
図１及び図３が示すように、固定フック１２は、本体１１の開口１９の周縁部２３の外側に取り付けられている。この固定フック１２はＵ字状に形成されており、その開放端２９が下向きとなるように配置されている。詳述すれば、固定フック１２は、対向する一対の脚部２５、２６と、これらの上端同士を連続する腰部２７とを備えている。固定フック１２は樹脂からなり、上記脚部２５、２６及び腰部２７は、一体的に形成されている。固定フックを構成する樹脂は、例えばポリプロピレン（ＰＰ）、アクリロニトリルブタジエンスチレン共重合体（ＡＢＳ）、ポリ塩化ビニル（ＰＶＣ）など、耐衝撃性、耐候性、耐腐食性に優れたものが採用される。上記脚部２５、２６間の寸法ｄは、本実施形態では、３ｍｍ〜７ｍｍに設定されている。ただし、この寸法ｄは、３ｍｍ〜１０ｍｍの範囲で適宜設定され得る。もっとも、固定フック１２は、金属板が屈曲されることにより構成されていてもよい。
【００２４】
固定フック１２が上記材料から構成されることにより、固定フック１２は弾性変形することができる。しかも、上記一対の脚部２５、２６間の距離が上記寸法ｄに設定されることにより、この固定フック１２は、例えば撒餌用のバッカン２８に固定することができる。具体的には、この固定フック１２が弾性変形されて一対の脚部２５、２６が離反された状態で、図３が示すように各脚部２５、２６間にバッカン２８の上端部３０（所定のステー）が挿入されると、一対の脚部２５、２６は、その弾性力で当該上端部３０を挟持する。これにより、釣用バケツ１０がこのバッカン２８に固定される。なお、釣用バケツ１０が確実にバッカン２８に固定されるために必要な弾性力を得るために、固定フック１２の幅寸法ｗ（図１参照）は、１２ｍｍ〜２０ｍｍに設定される。
【００２５】
反転錘１４は、基材３１と、基材３１上に配置された錘３３と、錘３３を包んで基材３１に固着された被覆材３２とを有する。図３が示すように、この反転錘１４は、固定フック１２に取り付けられており、このため、釣用バケツ１０の重心は、著しく径方向外側に位置することになる。基材３１は、矩形の樹脂シートからなる。基材３１を構成する樹脂は、エチレン酢酸ビニル共重合体（ＥＶＡ）が好適に採用される。錘３３は、例えば鉛からなり、基材３１と被覆材３２との間に隙間なく収容されている。また、被覆材３２も樹脂シートからなり、被覆材３２を構成する樹脂は、エチレン酢酸ビニル共重合体（ＥＶＡ）が好適に採用される。被覆材３２は、基材３１と協働して錘３３を包み、その状態で、被覆材３２の周縁部が基材３１の周縁部に熱融着されている。
【００２６】
本実施形態では、図３が示すように、上記基材３１の上縁部３４は、被覆材３２の上縁部と共に上記固定フック１２の上縁部３６に沿って固定されている。ただし、基材３１及び被覆材３２は樹脂からなるので、上記上縁部３４において容易に屈曲することができる。したがって、反転錘１４は、上記上縁部３４を基準にして矢印３５の方向に沿ってフラップ状に回動することができる。
【００２７】
この釣用バケツ１０では、前述のように、固定フック１２が餌入れ用のバッカン２８を挟持することができるので、実釣において釣人は、釣用バケツ１０をバッカン２８に組み付けることができる。そして、釣人は、この釣用バケツ１０に水を入れることにより、実釣において所望時に撒餌杓の洗浄等を行うことができる。また、撒餌の水分が不足した場合には、適当な量の水をバッカン２８に注ぐこともできる。加えて、通常、バッカン２８に収容されている餌の残量が少なくなると、バッカン２８が不安定となるが、水が収容された釣用バケツ１０がバッカン２８に装着されることにより、バッカン２８内の餌の残量が少なくなっても、当該バッカン２８は安定的に配置される。
【００２８】
また、上記固定フック１２は、バッカン２８を弾性的に挟持するものであるから、釣人は、釣用バケツ１０をバッカン２８に対して容易に着脱することができる。したがって、バッカン２８に大量の餌が収容されており、バッカン２８を安定させるために釣用バケツ１０をバッカン２８に装着する必要がない場合には、釣人は、バッカン２８から釣用バケツ１０を外しておくこともできる。
【００２９】
さらに、上記固定フック１２は、釣用バケツ１０の本体１１の外側に設けられ、しかも、この固定フック１２に反転錘１４が設けられているから、前述のように、釣用バケツ１０の重心は、著しく径方向外側に変位している。したがって、釣用バケツ１０が水中に投入されると、反転錘１４が沈下して釣用バケツ１０が水中で転倒し、釣人は、簡単且つ迅速に水を汲むことができる。これにより、例えば、釣りの終了後、釣場に付着した餌を洗い流す作業をする場合には比較的多量の水が必要になるが、その場合でも、釣人は、素早く水を汲むことができる。
【００３０】
なお、本実施形態では、上記固定フック１２は、バッカン２８に取り付けられるようになっているが、この固定フック１２は、バッカン２８のほか、タックルケース、クーラーボックスその他のものに取り付けることができる。
【００３１】
特に、本実施形態では、上記固定フック２８がＵ字状に形成されているから、固定フック１２の構造がきわめて簡単であり、これにより、釣用バケツ１０の製造コストの上昇が抑えられる。しかも、固定フック１２は、その開放端２９が下向きになるように配置されているから、特にバッカン２８の上縁部３０に固定フック１２を装着する作業が簡単になるという利点がある。
【００３２】
また、上記反転錘１４がフラップ状に回動自在であるから、釣用バケツ１０が水中に投入されると、前述のように反転錘１４が先行して沈下するために、釣用バケツ１０が水中で傾く。これにより、反転錘１４が一層先行して沈下し、当該反転錘１４が釣用バケツ１０の本体１１に対してフラップ状に開く。したがって、釣用バケツ１０は、水中でなおさら転倒方向に回動することになるので、釣人は、一層迅速に水を汲むことが可能になる。なお、反転錘１４は、フラップ状に回動せずに、固定フック１２に固定されていてもよい。
【００３３】
本実施形態では、固定フック１２の外側に反転錘１４が取り付けられているが、固定フック１２が金属その他の比較的比重の大きい材料から構成されることにより、固定フック１２が反転錘１２を兼ねることができる。このように、固定フック１２が反転錘１４を兼ねることにより、釣用バケツ１０の部品点数が削減され、釣用バケツ１０の構造がさらに簡素化されると共に製造コストも抑えられる。
【産業上の利用可能性】
【００３４】
本発明は、魚釣りに使用されるバケツに適用され得る。
【図面の簡単な説明】
【００３５】
【図１】図１は、本発明の一実施形態に係る釣用バケツの斜視図である。
【図２】図２は、本発明の一実施形態に係る釣用バケツの一部拡大断面図である。
【図３】図３は、本発明の一実施形態に係る釣用バケツの一部拡大断面図である。
【符号の説明】
【００３６】
１０・・・釣用バケツ
１１・・・本体
１２・・・固定フック
１３・・・ロープ
１４・・・反転錘
１９・・・開口
２３・・・開口の周縁部
２５・・・脚部
２６・・・脚部
２７・・・腰部
２８・・・バッカン
２９・・・開放端
３０・・・バッカンの上縁部
３１・・・基材
３２・・・被覆材
３３・・・錘
３４・・・基材の上縁部
３６・・・固定フックの上縁部
【図１】
2007312644.tif 000003
【図２】
2007312644.tif 000004
【図３】
2007312644.tif 000005